(57)【要約】【課題】輝度ムラを抑制することができる面状照明装置を提供すること。【解決手段】実施形態の面状照明装置は、導光板と、拡散部とを備える。導光板は、側面から入射された光を出射面から出射し、一部が湾曲した形状である。拡散部は、導光板に沿った形状で出射面側に設けられるカバーを通過する光を拡散する。また、拡散部は、カバーの湾曲した部分を通過する光をカバーの略平らな部分を通過する光よりも広く拡散する。【選択図】図３
2018156729.tif 000002
【特許請求の範囲】
【請求項１】
側面から入射された光を出射面から出射し、一部が湾曲した形状の導光板と、
前記導光板に沿った形状で前記出射面側に設けられるカバーを通過する光を拡散する拡散部と、
を備え、
前記拡散部は、前記カバーの湾曲した部分を通過する光を前記カバーの略平らな部分を通過する光よりも広く拡散する、面状照明装置。
【請求項２】
前記拡散部は、前記湾曲した部分の傾斜角が大きいほど前記湾曲した部分を通過する光の広がりを大きくする、請求項１に記載の面状照明装置。
【請求項３】
前記拡散部は、前記導光板の前記出射面または前記導光板の前記出射面とは反対側の面である反射面に形成された平面視形状が異方形状の光路変更素子である、請求項２に記載の面状照明装置。
【請求項４】
前記拡散部は、前記傾斜角が大きいほど扁平率が大きい略楕円形状である、請求項３に記載の面状照明装置。
【請求項５】
前記拡散部は、略等方形状の前記光路変更素子を含み、前記傾斜角が大きいほど前記略等方形状の光路変更素子に対する前記異方形状の光路変更素子の割合が多い、請求項３または４に記載の面状照明装置。
【請求項６】
前記拡散部は、前記導光板と前記カバーとの間に配置される拡散シートに設けられ、前記傾斜角に応じた高さを有する凸部である、請求項２〜５のいずれか一つに記載の面状照明装置。
【請求項７】
前記拡散部は、前記拡散シートの前記カバーの湾曲した部分に覆われる領域に異方形状の前記凸部を含む、請求項６に記載の面状照明装置。
【請求項８】
前記カバー、を更に備え、
前記拡散部は、
前記カバーに形成された凸部である、
請求項２〜７のいずれか一つに記載の面状照明装置。
【発明の詳細な説明】
【技術分野】
【０００１】
本発明は、面状照明装置に関する。
【背景技術】
【０００２】
液晶表示装置において液晶表示パネルのバックライトとして面状照明装置が使用されている。また、近年、湾曲形状を有する液晶表示装置の普及により、湾曲形状を有する面状照明装置が開示されている。
【先行技術文献】
【特許文献】
【０００３】
【特許文献１】特開２０１０−１４０８３１号公報
【発明の概要】
【発明が解決しようとする課題】
【０００４】
しかしながら、従来の面状照明装置では、出射させる光が出射面の法線方向に狭い指向性を有する。このため、従来の面状照明装置を正面方向から見ると湾曲した部分における輝度が低下し、輝度ムラが生じるおそれがあった。
【０００５】
本発明は、上記に鑑みてなされたものであって、輝度ムラを抑制することができる面状照明装置を提供することを目的とする。
【課題を解決するための手段】
【０００６】
上述した課題を解決し、目的を達成するために、本発明の一態様に係る面状照明装置は、側面から入射された光を出射面から出射し、一部が湾曲した形状の導光板と、前記導光板に沿った形状で前記出射面側に設けられるカバーを通過する光を拡散する拡散部とを備える。また、前記拡散部は、前記カバーの湾曲した部分を通過する光を前記カバーの略平らな部分を通過する光よりも広く拡散する。
【発明の効果】
【０００７】
本発明の一態様によれば、輝度ムラを抑制することができる。
【図面の簡単な説明】
【０００８】
【図１】図１は、実施形態に係る面状照明装置の模式的な分解斜視図である。
【図２】図２は、導光板の反射面の模式図である。
【図３】図３は、カバーから出射される光の指向性の模式図である。
【図４】図４は、ＬＥＤと導光板に形成された拡散部との位置関係を示す模式図である。
【図５】図５は、変形例に係る導光板の反射面の模式図である。
【図６】図６は、拡散シートの表面を示す模式図である。
【図７】図７は、カバーの表面を示す模式図である。
【発明を実施するための形態】
【０００９】
以下、実施形態に係る面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１０】
まず、図１を用いて、実施形態に係る面状照明装置の構成について説明する。図１は、実施形態に係る面状照明装置の模式的な分解斜視図である。なお、図１には、説明を分かりやすくするために、光が出射する側の面を正方向とするＺ軸を含む３次元の直交座標系を図示している。かかる直交座標系は、以下の説明で用いる他の図面においても示す場合がある。
【００１１】
実施形態に係る面状照明装置１は、いわゆるサイドライト型のバックライトであり、例えば、液晶表示装置に用いられる。また、かかる液晶表示装置は、例えば、スマートフォンやタブレット等の情報携帯端末において用いられる。
【００１２】
実施形態に係る面状照明装置１は、図１に示すように、カバー２と、上拡散シート３と、上プリズムシート４と、下プリズムシート５と、下拡散シート６と、導光板７と、ＬＥＤ（Light  Emitting  Diode）８と、回路基板９と、反射板１０とを備える。また、例えば、カバー２と、上拡散シート３との間には、液晶パネル等の図示しない表示部が設けられる。なお、図１では、面状照明装置１が、上拡散シート３、上プリズムシート４、下プリズムシート５および下拡散シート６等の光学シートを備える場合について示したが、かかる光学シートは一例である。
【００１３】
カバー２は、例えば、ガラスなどの透光性を有する素材であり、上拡散シート３から入射された光を表面２ａから出射させる。また、表面２ａは、上記の液晶表示装置の操作面として機能する。また、同図に示すように、カバー２は、Ｘ軸に沿って略平らな平坦部Ｔから一部を湾曲させた湾曲部Ｒを有する。なお、図１に示す例では、カバー２が、カバー２の中心を通過するＹ軸に沿って線対称であり、１つの平坦部Ｔと２つの湾曲部Ｒとを備える場合について示している。
【００１４】
ところで、従来の面状照明装置では、カバーの表面から出射する光が表面の法線方向に狭い指向性を有するように設計されていた。このため、従来の面状照明装置を平坦部の正面から見た場合に、湾曲部の輝度が平坦部の輝度よりも低下してしまい、輝度ムラが生じるおそれがあった。
【００１５】
そこで、実施形態に係る面状照明装置１では、湾曲部Ｒを通過する光の指向性を広げることで、平坦部Ｔの正面から見た際の湾曲部Ｒにおける輝度ムラを抑制することにしている。この点の詳細については、図２以降の添付図面を用いて後述する。
【００１６】
上拡散シート３は、上プリズムシート４から入射された光を拡散することで、上プリズムシート４および下プリズムシート５等の干渉によって生じるモアレ縞を抑制することができる。
【００１７】
また、実施形態に係る面状照明装置１では、かかる上拡散シート３によって、湾曲部Ｒを通過する光の指向性を広げることもできる。この点の詳細については、図６を用いて後述する。
【００１８】
一対の上プリズムシート４および下プリズムシート５は、上拡散シート３側（Ｚ軸正方向側）の主面に線状プリズムが形成されており、下拡散シート６により拡散された光の配光制御を行って、配光制御が行われた光を出射する。
【００１９】
下拡散シート６は、導光板７の出射面７ｂから入射した光を拡散することで、導光板７から出射された光の輝度ムラを抑制する。なお、下拡散シート６は省略することも可能である。
【００２０】
導光板７は、ＬＥＤ８から入射された光を導いて面状に発光させるものであり、例えばポリカーボネート樹脂やアクリル樹脂等の透光性材料で構成される。また、導光板７は、ＬＥＤ８の光がＹ軸負方向側の側面である入光端面７ａを介して導光板７の内部に導入され、光が出射面７ｂと、出射面７ｂと反対側の面である反射面７ｃ（図２参照）との間を反射しながら光の一部が出射面７ｂへ向かって外部へ出射することで発光する。
【００２１】
また、導光板７は、可撓性を有しており、Ｘ軸に沿って略平らな平坦面から少なくとも一部を湾曲させた形状で固定される。換言すると、導光板７は、カバー２の形状に沿って湾曲させた形状で固定することができる。なお、導光板７は、湾曲した形状に成形された剛性を有する部材であってもよい。
【００２２】
また、実施形態に係る面状照明装置１では、導光板７の反射面７ｃに平面視で異方形状の光路変更素子を形成することにより、湾曲部Ｒを通過する光の指向性を広げることができるが、この点の詳細については図２を用いて後述する。
【００２３】
複数のＬＥＤ８は、発光面から導光板７の入光端面７ａへ向けて光を発する。図１では、ＬＥＤ８を導光板７の短辺側（湾曲した部分を含む端面側）に配置し、導光板７の長辺に沿う向き（Ｙ軸方向）に導光板７に光を入射する場合について例示しているが、ＬＥＤ８を、導光板７の長辺側（直線状の端面側）に配置し、導光板７の短辺に沿う向き（Ｘ軸方向）に導光板７に光を入射することにしてもよい。また、図１に示すＬＥＤ８の個数についても、図示した数に限定されるものではなく、任意に個数を変更することができる。
【００２４】
回路基板９は、例えばフレキシブルプリント基板（ＦＰＣ）であり、Ｚ軸正方向側である主面に複数のＬＥＤ８が設けられる。回路基板９は、本実施形態では、導光板７の反射面７ｃ側に配置される。また、回路基板９は、ＬＥＤ８へ給電を行うための回路が設けられる。
【００２５】
反射板１０は、導光板７の出射面７ｂとは反対側の主面である反射面（裏面）７ｃ側に配置され、導光板７に入射して反射面７ｃから下部（反射板１０）側に出射した光を出射面７ｂ側へ反射するためのものである。反射板１０は、例えば銀等の金属を蒸着したフィルム、鏡面加工を施したアルミ板等の金属板、またはポリマー薄膜の多層構造からなる反射層を備えたフィルム等で構成されている。
【００２６】
なお、上述した上拡散シート３、上プリズムシート４、下プリズムシート５、下拡散シート６、導光板７および反射板１０は、いずれも可撓性を有するため、カバー２の形状に沿って湾曲させることが可能である。
【００２７】
次に、図２および図３を用いて実施形態に係る拡散部Ｄの詳細について説明する。図２は、導光板７の反射面７ｃの模式図である。また、図３は、カバー２から出射される光の指向性を示す模式図である。なお、図２では、導光板７を平板状にした状態における反射面７ｃの一部を模式的に示す。また、図２では、図１に示した導光板７をＺ軸負方向側から見た図であり、説明を分かりやすくするために湾曲部Ｒの傾斜角の大小を併せて示す。なお、傾斜角とは、Ｘ軸と、湾曲部Ｒにおける接線とが成す角である。
【００２８】
図２に示すように、導光板７は、反射面７ｃに拡散部Ｄ１を備える。なお、かかる反射面７ｃは、図１に示した出射面７ｂと反対の主面である。拡散部Ｄ１は、反射面７ｃから半球状に突出した複数の光路変更素子Ｄ１ａ、Ｄ１ｂを含む。かかる拡散部Ｄ１は、導光板７の反射面７ｃにおける光の反射角を意図的に変えることにより、反射面７ｃにて反射した光が導光板７の出射面７ｂから出射するように光の進路を調整している。
【００２９】
また、導光板７は、平面視において略等方形状の光路変更素子Ｄ１ａと、異方形状の光路変更素子Ｄ１ｂとを備える。なお、ここで、略等方形状が、略真円状であり、異方形状が、略楕円形状である場合について例示している。また、かかる異方形状の光路変更素子Ｄ１ｂは、長軸が導光板７の長辺（Ｙ軸方向）に沿って並んで設けられる。
【００３０】
ここで、傾斜角が大きいほど、湾曲部Ｒから出射される光と平坦部Ｔから出射される光とが出射される角度（以下、出射角と記載する）のズレが大きくなる。かかる出射角のズレが大きいほど、カバー２から出射される光の輝度ムラが生じやすい。このため、実施形態に係る面状照明装置１では、図２に示すように、導光板７の反射面７ｃに湾曲部Ｒの傾斜角が大きくなるほど扁平率の大きい光路変更素子Ｄ１ｂを形成している。なお、扁平率とは、１−（短径／長径）で表され、かかる扁平率が大きいほど、細い楕円であり、真円であれば扁平率はゼロとなる。
【００３１】
このように、実施形態に係る面状照明装置１では、反射面７ｃに湾曲部Ｒの傾斜角が大きくなるほど扁平率の大きな光路変更素子Ｄ１ｂを形成することで、かかる光路変更素子Ｄ１ｂによって反射した光を光路変更素子Ｄ１ｂの短軸方向（Ｘ軸方向）に効率よく拡散することができる。さらに、反射面７ｃに湾曲部Ｒの傾斜角が大きくなるほど扁平率の大きな光路変更素子Ｄ１ｂを設けることで、傾斜角が大きいほど光路変更素子Ｄ１ｂを密に形成することが可能となる。
【００３２】
これにより、図３に示すように、湾曲部Ｒを通過する光の一方向（Ｘ軸方向）に対する指向性を効率よく広げることができる。具体的には、図３に示すように、カバー２において平坦部Ｔを通過する光のピークＰ１は、湾曲部Ｒを通過する他のピークＰ２やピークＰ３よりも出射範囲ａ１が狭い。すなわち、ピークＰ１は、ピークＰ２やピークＰ３に比べて狭い指向性を有する。また、湾曲部Ｒを通過する光のピークＰ２、ピークＰ３については、湾曲部Ｒの傾斜角が大きいほど広い出射範囲を有する。すなわち、ピークＰ３の出射範囲ａ３は、ピークＰ２の出射範囲ａ２よりも広い。
【００３３】
このように、導光板７の反射面７ｃに、湾曲部Ｒの傾斜角が大きくなるほど扁平率の大きい光路変更素子Ｄ１ｂを設けることで、湾曲部Ｒから出射される光を平坦部Ｔから出射される光よりも広く拡散することができる。これにより、実施形態に係る面状照明装置１は、湾曲部Ｒから出射される光と、平坦部Ｔから出射される光との出射角のズレを小さくすることができる。したがって、実施形態に係る面状照明装置１では、カバー２の平坦部Ｔの正面（Ｚ軸正方向側）に対して、カバー２全体から均一に光が出射することができる。つまり、実施形態に係る面状照明装置１は、カバー２から出射される光の輝度ムラを抑制することができる。
【００３４】
ところで、実施形態に係る面状照明装置１では、湾曲部Ｒを通過する光の指向性を傾斜角に応じて徐々に広げることにしている。仮に、かかる指向性を急に広げると、湾曲部Ｒと平坦部Ｔとで輝度が不連続的に変化し、視認性が低下するおそれがある。
【００３５】
このため、図２に示したように、実施形態に係る面状照明装置１では、反射面７ｃに湾曲部Ｒの傾斜角が大きいほど扁平率が大きい略楕円形状の光路変更素子Ｄ１ｂが設けられる。換言すると、実施形態に係る面状照明装置１では、傾斜角に応じて湾曲部Ｒを通過する光を徐々に広く拡散させる。これにより、実施形態に係る面状照明装置１では、指向性を連続的に変化させることで視認性の低下を抑制することができる。
【００３６】
なお、図２では、異方形状の光路変更素子Ｄ１ｂの長軸が導光板７の長辺（Ｙ軸方向）に沿って形成される場合について示したが、光路変更素子Ｄ１ｂの長軸を導光板７の短辺（Ｘ軸方向）に沿って形成するようにしてもよいし、あるいは、光路変更素子Ｄ１ｂの長軸を導光板７の長辺に対して斜め方向に形成するようにしてもよい。かかる場合であっても、湾曲部Ｒを通過する光の指向性を広げることができるため、輝度ムラを抑制することができる。また、異方形状の光路変更素子Ｄ１ｂは、略楕円形状に限られず、例えば、多角形、不定形など、その他の形状にしてもよい。また、光路変更素子Ｄ１ａ、Ｄ１ｂは、その一部または全部を導光板７の出射面７ｂに設けてもよい。例えば、平面視において略等方形状の光路変更素子Ｄ１ａを導光板７の反射面７ｃに設け、平面視において略異方形状の光路変更素子Ｄ１ｂを、導光板７の出射面７ｂに設けるようにしてもよい。この場合、導光板７の法線方向から見た場合に、光路変更素子Ｄ１ａと光路変更素子Ｄ１ｂとが重なっていてもよい。
【００３７】
ところで、導光板７は、以下のように作製することができる。まず、金型用部材の表面に異方形状または略等方形状のビーム形状を有するレーザ光を照射してレーザ加工することにより金型を作製する。このとき、金型用部材の１箇所にレーザ光を照射することにより１つの異方形状または略等方形状の凹部（光路変更素子の凸状となる部分）を形成し、これをレーザ光の照射位置を少しずつずらしながら行うことにより複数の凹部の列を形成する。そして、この金型を用いて導光板７を成型することで拡散部Ｄ１である光路変更素子を作製できる。なお、光路変更素子の形状は、金型用部材に照射するレーザ光の強度や１箇所に対する照射回数などの照射条件を適宜調整することによって所望の形状、サイズとすることができる。
【００３８】
次に、図４を用いてＬＥＤ８と拡散部Ｄ１との位置関係について説明する。図４は、ＬＥＤ８と導光板７に形成された拡散部Ｄ１との位置関係を示す模式図である。図４に示すように、ＬＥＤ８から離れるほど導光板７の反射面７ｃには、設置間隔ｄが短くなるように拡散部Ｄ１が設けられる。すなわち、ＬＥＤ８から離れるほど反射面７ｃには拡散部Ｄ１が密に設けられる。
【００３９】
これは、ＬＥＤ８から離れるにつれて導光板７を伝搬する光量が少なくなるためである。したがって、入光端面７ａから離れるほど導光板７の反射面７ｃにおける拡散部Ｄ１の配置密度も高くなるように設計することで、ＬＥＤ８からの距離によらず、輝度を均一化することができる。
【００４０】
つまり、実施形態に係る面状照明装置１では、図２に示したように、湾曲部Ｒの傾斜角が大きくなるほど扁平率の大きい光路変更素子Ｄ１ｂが形成され、また、ＬＥＤ８から遠くなるほど拡散部Ｄ１が密に形成される。これにより、カバー２を正面から見た場合に、カバー２全体の輝度を均一化することができる。
【００４１】
次に、図５を用いて拡散部Ｄ１の他の配置例について説明する。図５は、変形例に係る導光板７の反射面７ｃの模式図である。なお、図５では、図２と同様に導光板７を平板状にした状態における模式図を示し、湾曲部Ｒの傾斜角の大小を併せて示す。
【００４２】
図５に示すように、変形例に係る導光板７は、反射面７ｃに略等方形状の光路変更素子Ｄ１ａと、略異方形状の光路変更素子Ｄ１ｂとが設けられる。具体的には、湾曲部Ｒの傾斜角が大きいほど、略等方形状の光路変更素子Ｄ１ａに対する異方形状の光路変更素子Ｄ１ｂの割合が多くなるように拡散部Ｄ１が設けられる。
【００４３】
同図に示す例では、傾斜角が大きいＸ軸負方向側において３つの光路変更素子Ｄ１ｂと、１つの光路変更素子Ｄ１ａとが設けられ、傾斜角が小さくなるにしたがって光路変更素子Ｄ１ｂの光路変更素子Ｄ１ａに対する割合を徐々に減少させている。なお、平坦部Ｔでは、例えば、光路変更素子Ｄ１ａのみが形成される。
【００４４】
かかる場合であっても、導光板７は、傾斜角が大きいほど指向性を広げることができるため、湾曲部Ｒを通過する光を平坦部Ｔを通過する光よりも広く拡散することができる。これにより、カバー２から出射される光の輝度ムラを低減することができる。なお、図５では、略同じ形状である光路変更素子Ｄ１ｂを設ける場合を示しているが、これに限定されるものではない。すなわち、図２に示したように、傾斜角が大きくなるにつれて扁平率の大きな光路変更素子Ｄ１ｂを設けることにしてもよい。
【００４５】
次に、図６を用いて上拡散シート３によって湾曲部Ｒを通過する光を拡散させる場合について説明する。図６は、上拡散シート３の表面を示す模式図である。なお、図６では、図１に示した上拡散シート３をＹ軸正方向側から見た図を示す。
【００４６】
図６に示すように、上拡散シート３のＺ軸正方向側の主面３ａには、微細な凸部である拡散部Ｄ２が形成される。具体的には、図６に示すように、上拡散シート３の湾曲した部分、すなわち、湾曲部Ｒに覆われる部分に形成される拡散部Ｄ２ａは、上拡散シート３の湾曲していない部分、すなわち、平坦部Ｔに覆われる部分に形成される拡散部Ｄ２ｂよりも高さが高くなるように形成される。すなわち、拡散部Ｄ２ａの高さｈ１は、拡散部Ｄ２ｂの高さｈ２に比べて高くなるように形成される。
【００４７】
このようにすることで、拡散部Ｄ２ａを通過する光を、拡散部Ｄ２ｂを通過する光よりも広く等方的に拡散することができる。したがって、湾曲部Ｒを通過する光の直交する２方向に対する指向性を広げることができ、カバー２から出射される光の輝度ムラを抑制することができる。
【００４８】
なお、主面３ａの湾曲した部分において拡散部Ｄ２ａを平面視で略異方形状に形成することにしてもよい。また、かかる異方形状の長軸がＹ軸に沿って並んだ略楕円形状とすることで、既に説明したように、湾曲部Ｒを通過する光の一方向（Ｘ軸方向）に対する指向性を上記した出射角のズレが小さくなるように効率的に広げることができる。
【００４９】
また、拡散部Ｄ２の高さを均一にし、傾斜角が大きくなるほど拡散部Ｄ２を密に形成することにしてもよいし、拡散部Ｄ２を主面３ａの反対面に設けてもよい。また、ここでは、上拡散シート３によって指向性を制御する場合について説明したが、図１に示した下拡散シート６のＺ軸正方向側の主面またはかかる主面の反対面に拡散部Ｄ２を設けることにしてもよい。
【００５０】
次に、図７を用いてカバー２を用いて湾曲部Ｒを通過する光を拡散させる場合について説明する。なお、図７では、カバー２のＺ軸負方向側である裏面２ｂを示す。また、図７には、図７に示すＡ―Ａ線に沿った断面模式図を併せて示している。
【００５１】
同図に示すように、断面模式図において、カバー２の裏面２ｂは、湾曲部Ｒにおいて表面に微細な凸部である拡散部Ｄ３を備える。また、かかる拡散部Ｄ３は、傾斜角が大きくなるにつれて高さが徐々に大きくなるように形成される。換言すると、裏面２ｂは、傾斜角が大きくなるほど表面が荒く加工される。
【００５２】
かかる拡散部Ｄ３を通過する光は、拡散部Ｄ３の高さが高いほど広く拡散されることになる。つまり、カバー２の裏面２ｂに、傾斜角が大きくなるにつれて高さが高くなる拡散部Ｄ３を形成することにより、湾曲部Ｒを通過する光を平坦部Ｔを通過する光よりも広く拡散することができる。これにより、カバー２から出射される光を均一化することができ、カバー２から出射される光の輝度ムラを抑制することができる。
【００５３】
上述したように、実施形態に係る面状照明装置１において、導光板７は、入光端面７ａから入射された光を出射面７ｂから出射し、一部を湾曲させた形状である。拡散部Ｄ１〜Ｄ３は、導光板７に沿った形状で出射面７ｂ側に設けられるカバー２を通過する光を拡散する。また、拡散部Ｄ１〜Ｄ３は、カバー２の湾曲した部分（湾曲部Ｒ）を通過する光をカバー２の平らな部分（平坦部Ｔ）を通過する光よりも広く拡散する。これにより、カバー２から出射される光を均一化することができ、輝度ムラを抑制することができる。
【００５４】
また、上述したように、実施形態に係る面状照明装置１において、拡散部Ｄ１〜Ｄ３は、湾曲した部分（湾曲部Ｒ）の傾斜角が大きいほど湾曲した部分（湾曲部Ｒ）を通過する光の広がりを大きくする。これにより、カバー２を通過する光の輝度が連続的に変更されるため、視認性の低下を抑制することができる。
【００５５】
また、上述したように、実施形態に係る面状照明装置１において、拡散部Ｄ１は、導光板７の出射面７ｂまたは出射面７ｂとは反対側の面である反射面７ｃに形成された平面視形状が異方形状の光路変更素子Ｄ１ｂである。これにより、上記した出射角のズレが小さくなるように湾曲部Ｒを通過する光を拡散することができるため、輝度ムラを抑制することができる。
【００５６】
また、上述したように、実施形態に係る面状照明装置１において、拡散部Ｄ１は、傾斜角が大きくなるほど扁平率が大きい略楕円形状である。これにより、上記した出射角のズレが小さくなるように湾曲部Ｒを通過する光を拡散することができるため、輝度ムラを抑制することができる。
【００５７】
また、上述したように、実施形態に係る面状照明装置１において、拡散部Ｄ２は、導光板７とカバー２との間に配置される拡散シート（上拡散シート３または下拡散シート６）のカバー２側またはその反対側の主面に設けられ、傾斜角に応じた高さを有する凸部である。これにより、カバー２から出射される光の輝度を均一化することができ、輝度ムラを抑制することができる。
【００５８】
また、上述したように、実施形態に係る面状照明装置１において、拡散部Ｄ２は、カバー２における湾曲した部分（湾曲部Ｒ）に異方形状の凸部を含む。これにより、上記した出射角のズレが小さくなるように湾曲部Ｒを通過する光を拡散することができるため、輝度ムラを抑制することができる。
【００５９】
また、上述したように、実施形態に係る面状照明装置１において、拡散部Ｄ３は、カバー２に形成された凸部である。これにより、カバー２から出射される光を均一化することができ、輝度ムラを抑制することができる。なお、拡散部Ｄ３は、カバー２の導光板７側とは反対側の面に形成されてもよい。
【００６０】
ところで、実施形態に係る面状照明装置１は、１方向に湾曲した湾曲部Ｒを備える場合について説明したが、湾曲部Ｒは、カバー２の任意の点から放射状に湾曲していてもよい。また、湾曲部Ｒが必ずしも湾曲している必要はなく、直線状に傾斜していてもよい。かかる場合、拡散部Ｄ１〜Ｄ３は、平坦部Ｔから遠くなるほど、かかる湾曲部Ｒを通過する光を広く拡散させることで、輝度ムラを抑制することができる。
【００６１】
また、実施形態に係る面状照明装置１では、カバー２の表面２ａが凸状に湾曲した湾曲部Ｒを備える場合について説明したが、湾曲部Ｒは、カバー２の表面２ａの少なくとも一部が凹状に湾曲していてもよい。また、カバー２が２つの湾曲部Ｒに平坦部Ｔが挟まれた形状である場合について示したが、カバー２は、平坦部Ｔと湾曲部Ｒとをそれぞれ１つ備える形状であってもよいし、あるいは、湾曲部Ｒを複数の平坦部Ｔで挟み込む形状であってもよい。また、実施形態に係る面状照明装置１は、図２から図７を用いて説明した拡散部Ｄ１〜Ｄ３を適宜組み合わせて用いることにしてもよい。
【００６２】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６３】
１    面状照明装置
２    カバー
３    上拡散シート
４    上プリズムシート
５    下プリズムシート
６    下拡散シート
７    導光板
７ａ    入光端面
７ｂ    出射面
７ｃ    反射面
８    ＬＥＤ
９    回路基板
１０    反射板
Ｄ１〜Ｄ３    拡散部
Ｒ    湾曲部
【図１】
2018156729.tif 000003
【図２】
2018156729.tif 000004
【図３】
2018156729.tif 000005
【図４】
2018156729.tif 000006
【図５】
2018156729.tif 000007
【図６】
2018156729.tif 000008
【図７】
2018156729.tif 000009